(57)【要約】  利用者に識別体を所持させることなく、複数の利用者が降車する階床においても誤降車を防止することができるエレベータの報知システムを提供する。このため、エレベータの行先階登録装置による行先階の登録回数を各階床に対応付けて記憶する登録回数記憶装置と、エレベータのかご又は各乗場に設けられ、行先階登録装置による行先階の登録に応じてかごが各乗場に停止した際に、かごから各乗場に降りる利用者の数を検出する降車検出装置と、かごからかごが停止中の乗場に降りた利用者の数とかごが停止中の乗場に対応した行先階の登録回数とが一致しない場合に、かご又はかごが停止中の乗場に設けられた報知装置に、所定の内容を報知させる報知制御装置と、を備える構成とした。
2012153387.tif 000002
【特許請求の範囲】
【請求項１】
エレベータの行先階登録装置による行先階の登録回数を各階床に対応付けて記憶する登録回数記憶装置と、
前記エレベータのかご又は各乗場に設けられ、前記行先階登録装置による行先階の登録に応じて前記かごが前記各乗場に停止した際に、前記かごから前記各乗場に降りる利用者の数を検出する降車検出装置と、
前記かごから前記かごが停止中の乗場に降りた利用者の数と前記かごが停止中の乗場に対応した行先階の登録回数とが一致しない場合に、前記かご又は前記かごが停止中の乗場に設けられた報知装置に、所定の内容を報知させる報知制御装置と、
を備えたことを特徴とするエレベータの報知システム。
【請求項２】
前記かごに設けられ、前記登録回数記憶装置に記憶されている登録回数に基づいて、降車予定人数を階床毎に表示する表示装置、
を備えたことを特徴とする請求項１に記載のエレベータの報知システム。
【請求項３】
前記各乗場に設けられ、前記登録回数記憶装置に記憶されている登録回数に基づいて、当該乗場での降車予定人数を表示する表示装置、
を備えたことを特徴とする請求項１又は請求項２に記載のエレベータの報知システム。
【請求項４】
前記かごが停止中の乗場に対応した行先階の登録回数よりも前記かごから前記かごが停止中の乗場に降りた利用者の数が多い場合に、防犯センターに発報する発報装置、
を備えたことを特徴とする請求項１〜請求項３のいずれかに記載のエレベータの報知システム。
【請求項５】
前記各乗場に設けられ、前記各乗場から前記かごに乗車する利用者の数を検出する乗車検出装置と、
前記各階床で前記降車検出装置に検出された利用者の総数と前記各階床で前記乗車検出装置に検出された利用者の総数とを各階床に対応付けて記憶する乗降者人数記憶装置と、
を備えたことを特徴とする請求項１〜請求項４のいずれかに記載のエレベータの報知システム。
【発明の詳細な説明】
【技術分野】
【０００１】
この発明は、エレベータの報知システムに関するものである。
【背景技術】
【０００２】
エレベータの報知システムとして、戸開した階床で利用者がかごから降りた際に、当該階床にかご呼びが登録されていない場合は、所定の内容を報知するものが提案されている。この報知システムによれば、利用者の誤降車を防止することができる（例えば、特許文献１参照）。【０００３】
しかしながら、特許文献１記載のものにおいては、ひとりの利用者が降りるべき階床で複数の利用者がかごから降りた場合、所定の内容を報知させることができない。すなわち、降りるべき利用者以外の利用者の誤降車を防止することができない。【０００４】
これに対し、ＩＣタグ等の識別体を応用した報知システムが提案されている。この報知システムによれば、識別体の情報を読み取ることで行先階を自動登録し、当該識別体を所持した利用者が自動登録された行先階以外でかごから降りた場合に、所定の内容が報知される。これにより、降りるべき利用者以外の利用者の誤降車を防止し得る。
【先行技術文献】
【特許文献】
【０００５】
【特許文献１】日本特開平２−１８２７２号公報
【特許文献２】日本特開２００６−２７３５２０号公報
【発明の概要】
【発明が解決しようとする課題】
【０００６】
しかしながら、特許文献２記載のものにおいては、利用者全員に識別体を所持させる必要がある。また、利用者がかごに乗った後に識別体を故意に破損させた場合や利用者がかご内に識別体を置き忘れた場合は、所定の内容を報知させることができない。【０００７】
この発明は、上述のような課題を解決するためになされたもので、その目的は、利用者に識別体を所持させることなく、複数の利用者がかごから降りる階床においても誤降車を防止することができるエレベータの報知システムを提供することである。
【課題を解決するための手段】
【０００８】
この発明に係るエレベータの報知システムは、エレベータの行先階登録装置による行先階の登録回数を各階床に対応付けて記憶する登録回数記憶装置と、前記エレベータのかご又は各乗場に設けられ、前記行先階登録装置による行先階の登録に応じて前記かごが前記各乗場に停止した際に、前記かごから前記各乗場に降りる利用者の数を検出する降車検出装置と、前記かごから前記かごが停止中の乗場に降りた利用者の数と前記かごが停止中の乗場に対応した行先階の登録回数とが一致しない場合に、前記かご又は前記かごが停止中の乗場に設けられた報知装置に、所定の内容を報知させる報知制御装置と、を備えたものである。
【発明の効果】
【０００９】
利用者に識別体を所持させることなく、複数の利用者が降車する階床においても誤降車を防止することができる。
【図面の簡単な説明】
【００１０】
【図１】この発明の実施の形態１におけるエレベータの報知システムの構成図である。
【図２】この発明の実施の形態１におけるエレベータの報知システムの動作を説明するためのフローチャートである。
【図３】この発明の実施の形態２におけるエレベータの報知システムの構成図である。
【発明を実施するための形態】
【００１１】
この発明を実施するための形態について添付の図面に従って説明する。なお、各図中、同一又は相当する部分には同一の符号を付しており、その重複説明は適宜に簡略化ないし省略する。
【００１２】
実施の形態１．
図１はこの発明の実施の形態１におけるエレベータの報知システムの構成図である。
【００１３】
図１において、１はエレベータ制御装置である。エレベータ制御装置１は、エレベータの機械室や昇降路に設けられる。２は表示報知装置である。表示報知装置２は、エレベータのかご（図示せず）や各乗場に設けられる。
【００１４】
３は行先階登録装置である。行先階登録装置３は、エレベータの各乗場に設けられる。行先階登録装置３は、所望の行先階に対応した入力操作がなされることで、行先階方向の乗場呼びと行先階に対応したかご呼びとを登録する機能を備える。
【００１５】
４は登録回数記憶装置である。登録回数記憶装置４は、登録回数記憶装置４は、行先階登録装置３による行先階の登録回数を各階床に対応付けて記憶する機能を備える。
【００１６】
５は降車検出装置である。降車検出装置５は、かご又は各乗場に設けられる。降車検出装置５は、かごから各乗場に降りる利用者の数を検出する機能を備える。
【００１７】
６は降車人数記憶装置である。降車人数記憶装置６は、降車検出装置５が検出した降車人数をエレベータ制御装置１から送信される現在階に対応付けて記憶する機能を備える。
【００１８】
７は人数確認装置である。人数確認装置７は、かごが停止している乗場に対応した階床に関し、降車人数記憶装置６に記憶された利用者の数と登録回数記憶装置４に記憶されている行先階の登録回数と比較する機能を備える。
【００１９】
次に、報知システムの動作を説明する。
図２はこの発明の実施の形態１におけるエレベータの報知システムの動作を説明するためのフローチャートである。
【００２０】
ステップＳ１では、行先階に対応した入力操作が行先階登録装置３でなされる。その後、ステップＳ２に進み、登録回数記憶装置４は、行先階の登録回数を記憶する。この際、登録回数記憶装置４は、行先階が登録される度に、階床毎の行先階の登録回数を更新する。
【００２１】
その後、ステップＳ３に進み、行先階の登録に対応したかご呼び又は乗場呼びに応じて、かごが特定の階で停止する。その後、かご戸が開く。その後、ステップＳ４に進み、人数確認装置７は、かごが停止している現在階に対応した行先階の登録回数を読み出す。
【００２２】
その後、ステップＳ５に進み、降車検出装置５は、かごから現在階の乗場に降りる利用者の数を検出する。その後、降車人数記憶装置６は、降車検出装置５に検出された利用者の数を記憶する。
【００２３】
その後、ステップＳ６に進み、人数確認装置７は、かごが停止している乗場に対応した階床に関し、行先階の登録回数から降車する利用者の数を差し引いた値をＸとして算出する。Ｘが０の場合は、動作が終了する。
【００２４】
ステップＳ６でＸが負の場合は、ステップＳ７に進む。ステップＳ７では、人数確認装置７は、誤降車があると判定する。その後、人数確認装置７は、報知制御装置として、かご又は現在階の表示報知装置２に誤降車がある旨を表示させる。
【００２５】
これに対し、ステップＳ６でＸが正の場合は、ステップＳ８に進む。ステップＳ８では、人数確認装置７は、乗り過ごしがあると判定する。その後、人数確認装置７は、報知制御装置として、かご又は現在階の表示報知装置２に、乗り過ごしがある旨を表示させる。
【００２６】
以上で説明した実施の形態１によれば、降車する利用者の数と行先階の登録回数と一致しない場合に、表示報知装置２が所定の内容を報知する。このため、利用者に識別体を所持させることなく、複数の利用者が降車する階床においても誤降車を防止することができる。また、目的階の乗り過ごしを防止することもできる。
【００２７】
なお、行先階登録装置３により通常登録できる行先階を制限してもよい。この制限は、ＩＣカード、ＩＣタグ等の識別体によって解除できるようにすればよい。この場合、特定の利用者のみが識別体によって行先階登録の制限を解除したとしても、ある程度のセキュリティを維持することができる。
【００２８】
すなわち、利用制限階で降車する利用者の数が当該利用制限階に対応した行先階の登録回数と一致しなければ、表示報知装置２が所定の内容を報知する。このため、特定の利用者とともに移動する者が識別体を所持していなくても、降りるべき利用者以外の利用者の誤降車を防止することができる。
【００２９】
また、表示報知装置２がかごに設けられている場合、登録回数記憶装置４の登録回数に基づいて、降車予定人数を階床毎に表示報知装置２に表示させてもよい。この場合、各階床で降車する利用者がいることをかご内に周知することができる。このため、かご戸付近の利用者にかご戸の前を空けるように促すことができる。また、いつまで戸開釦を押していればよいのかをかご内の利用者に報知することができる。これにより、降車する利用者がかごの奥にいる場合であっても、当該利用者は円滑に降車することができる。
【００３０】
また、表示報知装置２が乗場に設けられている場合、登録回数記憶装置４の登録回数に基づいて、当該乗場での降車予定人数を表示報知装置２に表示させてもよい。この場合、当該乗場で降車する利用者がいることを当該乗場に周知することができる。このため、当該乗場からかごに乗り込む利用者が降車する利用者と衝突することを防ぐことができる。
【００３１】
また、表示報知装置２が乗場に設けられている場合、行先階の登録回数から降車する利用者の数を差し引いたＸに対応した内容を表示報知装置２にリアルタイムに報知させてもよい。例えば、「あとＸ人降車します」等の表示を表示報知装置２に行わせてもよい。この表示により、いつまで利用者の降車を待てばよいかを当該乗場に周知することができる。このため、当該乗場において、降車する利用者が残っていないかを注意深く観察する必要がなくなる。これにより、特別な装置を利用することなく、より円滑な乗降車を促すことができる。
【００３２】
また、降車する利用者の数が行先階の登録回数よりも多い状態でかごが発車した場合に、防犯センターに発報してもよい。このような発報装置としての機能は、人数確認装置７等に設ければよい。この場合、利用制限階が設定されている建物において、利用制限階に不正な利用者が居残っていると、人数確認装置７等が防犯センターに発報することになる。このため、建物のセキュリティを向上することができる。
【００３３】
また、降車する利用者の数と行先階の登録回数と一致しない場合に、所定の内容を音声で報知してもよい。
【００３４】
実施の形態２．
図３はこの発明の実施の形態２におけるエレベータの報知システムの構成図である。なお、実施の形態１と同一又は相当部分には同一符号を付して説明を省略する。
【００３５】
実施の形態２においては、実施の形態１の降車検出装置５、降車人数記憶装置６の代わりに、乗降者検出装置８、乗降者総数記憶装置９が設けられる。乗降者検出装置８は、各階床において、降車人数のみならず乗車人数を検出する機能を備える。乗降者総数記憶装置９は、各階床における乗車者の総数と降車者の総数とを各階床に対応付けて記憶する機能を備える。
【００３６】
本実施の形態においては、乗降者総数管理装置１０、ビル情報管理装置１１も設けられる。乗降者総数管理装置１０は、各階床における乗降車総数の整合性を確認する機能を備える。ビル情報管理装置１１は、乗降者総数管理装置１０の確認結果に基づいて各階床の居残り人数を検出し、建物のセキュリティや照明を管理する機能を備える。
【００３７】
以上で説明した実施の形態２によれば、乗車者の総数と降車者の総数との差分に基づいて、各階床の人数を把握することができる。このため、利用者全員に識別体を持たせることなく、建物内の動態管理を行うことができる。また、居残った利用者がいない階床の照明を自動消灯する等のサービスを行うこともできる。
【産業上の利用可能性】
【００３８】
以上のように、この発明に係るエレベータの報知システムは、利用者に識別体を所持させることなく、複数の利用者が降車する階床においても誤降車を防止するシステムに利用できる。
【符号の説明】
【００３９】
１  エレベータ制御装置
２  表示報知装置
３  行先階登録装置
４  登録回数記憶装置
５  降車検出装置
６  降車人数記憶装置
７  人数確認装置
８  乗降者検出装置
９  乗降者人数記憶装置
１０  乗降者総数管理装置
１１  ビル情報管理装置
【図１】
2012153387.tif 000003
【図２】
2012153387.tif 000004
【図３】
2012153387.tif 000005
【手続補正書】
【提出日】平成25年4月17日(2013.4.17)
【手続補正１】
【補正対象書類名】特許請求の範囲
【補正対象項目名】全文
【補正方法】変更
【補正の内容】
【特許請求の範囲】
【請求項１】
エレベータの行先階登録装置による行先階の登録回数を各階床に対応付けて記憶する登録回数記憶装置と、
前記エレベータのかご又は各乗場に設けられ、前記行先階登録装置による行先階の登録に応じて前記かごが前記各乗場に停止した際に、前記かごから前記各乗場に降りる利用者の数を検出する降車検出装置と、
前記かごから前記かごが停止中の乗場に降りた利用者の数と前記かごが停止中の乗場に対応した行先階の登録回数とが一致しない場合に、前記かご又は前記かごが停止中の乗場に設けられた報知装置に、所定の内容を報知させる報知制御装置と、
前記各乗場に設けられ、前記登録回数記憶装置に記憶されている登録回数に基づいて、当該乗場での降車予定人数を表示する表示装置と、
を備えたことを特徴とするエレベータの報知システム。
【請求項２】
前記かごが停止中の乗場に対応した行先階の登録回数よりも前記かごから前記かごが停止中の乗場に降りた利用者の数が多い場合に、防犯センターに発報する発報装置、
を備えたことを特徴とする請求項１記載のエレベータの報知システム。
【請求項３】
前記各乗場に設けられ、前記各乗場から前記かごに乗車する利用者の数を検出する乗車検出装置と、
前記各階床で前記降車検出装置に検出された利用者の総数と前記各階床で前記乗車検出装置に検出された利用者の総数とを各階床に対応付けて記憶する乗降者人数記憶装置と、
を備えたことを特徴とする請求項１又は請求項２に記載のエレベータの報知システム。
【手続補正２】
【補正対象書類名】明細書
【補正対象項目名】０００８
【補正方法】変更
【補正の内容】
【０００８】
この発明に係るエレベータの報知システムは、エレベータの行先階登録装置による行先階の登録回数を各階床に対応付けて記憶する登録回数記憶装置と、前記エレベータのかご又は各乗場に設けられ、前記行先階登録装置による行先階の登録に応じて前記かごが前記各乗場に停止した際に、前記かごから前記各乗場に降りる利用者の数を検出する降車検出装置と、前記かごから前記かごが停止中の乗場に降りた利用者の数と前記かごが停止中の乗場に対応した行先階の登録回数とが一致しない場合に、前記かご又は前記かごが停止中の乗場に設けられた報知装置に、所定の内容を報知させる報知制御装置と、前記各乗場に設けられ、前記登録回数記憶装置に記憶されている登録回数に基づいて、当該乗場での降車予定人数を表示する表示装置と、を備えたものである。
【国際調査報告】
2012153387.tif 000006
2012153387.tif 000007
2012153387.tif 000008
2012153387.tif 000009